(57)【要約】 【課題】  検査現場における計測値の入力時点で、明らかな入力ミスや計測ミス等をチェックできるようにすると共に、事務所に戻ってから、再度、現場に点検に出向くといった無駄な手間や工数を回避できるようにする。【解決手段】  計測対象設備５の測定項目と当該測定項目に係る計測値とを入力するキーボード２２及びスタイラスペン２３と、ここで入力された測定項目をキーにして当該計測対象設備５の過去の計測値を検索する計測値検索手段と、この計測値検索手段によって検索された計測対象設備５の過去の計測値の存在有無に基づいて測定項目に係る入力判別時の閾値を取得する取得手段と、この取得手段により取得された閾値と今回の測定項目に係る計測値とを比較する比較手段と、この比較手段によって得られる比較結果に基づいて今回の測定項目に係る計測値が入力ミスであるか否かを判別する判別手段とを備えるものである。【選択図】    図１
2006277654.tif 000002
【特許請求の範囲】
【請求項１】
電気設備を検査して得られる計測値を情報処理する携帯端末装置であって、
前記電気設備の測定項目と当該測定項目に係る計測値とを入力する入力手段と、
前記入力手段によって入力された前記測定項目をキーにして当該電気設備の過去の計測値を検索する検索手段と、
前記検索手段によって検索された前記電気設備の過去の計測値の存在有無に基づいて前記測定項目に係る入力判別時の閾値を取得する取得手段と、
前記取得手段により取得された前記閾値と今回の測定項目に係る計測値とを比較する比較手段と、
前記比較手段によって得られる比較結果に基づいて今回の前記測定項目に係る計測値が入力ミスであるか否かを判別する判別手段とを備えることを特徴とする携帯端末装置。
【請求項２】
前記電気設備の過去の計測値を前記測定項目と共に記憶する第１の記憶手段と、
前記入力ミスと判断された前記測定項目及び計測値を記憶する第２の記憶手段とを有することを特徴とする請求項１に記載の携帯端末装置。
【請求項３】
前記検索手段は、
前記測定項目をキーにして当該電気設備の過去の計測値から入力判別時の下限閾値及び上限閾値を検索し、
前記判別手段は、
前記検索手段によって検索された前記測定項目に関する入力判別時の下限閾値及び上限閾値を設定し、
前記下限閾値及び上限閾値から外れる計測値が入力された場合に、入力ミスと判断することを特徴とする請求項１に記載の携帯端末装置。
【請求項４】
前記判別手段は、
前記入力ミスと判断された前記測定項目に関して当該計測値の再入力を促すことを特徴とする請求項１に記載の携帯端末装置。
【請求項５】
前記入力ミスと判断された前記測定項目及び計測値を統計処理して、入力ミスを起こしやすい計測機器を特定する手段を備えることを特徴とする請求項１に記載の携帯端末装置。
【請求項６】
特定された前記計測機器の測定項目に係る入力判定時の閾値を前回よりも許容範囲を狭くするように設定する手段を備えることを特徴とする請求項５に記載の携帯端末装置。
【請求項７】
電気設備を検査して得られる計測値を情報処理する方法であって、
前記電気設備の測定項目と当該測定項目に係る計測値とを取得するステップと、
前記測定項目をキーにして当該電気設備の過去の計測値を検索するステップと、
前記電気設備の過去の計測値が存在する場合は、前記測定項目に係る入力判別時の閾値を取得するステップと、
前記閾値と今回の測定項目に係る計測値とを比較するステップと、
比較結果に基づいて今回の前記測定項目に係る計測値が入力ミスであるか否かを判別するステップとを有することを特徴とする情報処理方法。
【請求項８】
前記電気設備の過去の計測値を前記測定項目と共に記憶するステップを有することを特徴とする請求項７に記載の情報処理方法。
【請求項９】
前記測定項目をキーにして当該電気設備の過去の計測値から入力判別時の下限閾値及び上限閾値を検索し、
検索された前記測定項目に関して入力判別時の下限閾値及び上限閾値を設定し、
前記下限閾値及び上限閾値から外れる計測値が入力された場合に、入力ミスと判断することを特徴とする請求項７に記載の情報処理方法。
【請求項１０】
前記入力ミスと判断された前記測定項目及び計測値を記録するステップを有することを特徴とする請求項７に記載の情報処理方法。
【請求項１１】
前記入力ミスと判断された前記測定項目に関して当該計測値の再入力を促すステップを有することを特徴とする請求項７に記載の情報処理方法。
【請求項１２】
前記入力ミスと判断された前記測定項目及び計測値を統計処理して、入力ミスを起こしやすい計測機器を特定するステップを有することを特徴とする請求項７に記載の情報処理方法。
【請求項１３】
特定された前記計測機器の測定項目に係る入力判定時の閾値を前回よりも許容範囲を狭くするように設定するステップを有することを特徴とする請求項１２に記載の情報処理方法。
【請求項１４】
電気設備を検査して得られる計測値を情報処理するシステムであって、
前記電気設備を検査して計測値を得る計測機器と、
前記計測機器から得られる前記電気設備の計測値を記録する携帯端末装置とを備え、
前記携帯端末装置は、
前記電気設備の測定項目と当該測定項目に係る計測値とを入力する入力手段と、
前記入力手段によって入力された前記測定項目をキーにして当該電気設備の過去の計測値を検索する検索手段と、
前記検索手段によって検索された前記電気設備の過去の計測値の存在有無に基づいて前記測定項目に係る入力判別時の閾値を取得する取得手段と、
前記取得手段により取得された前記閾値と今回の測定項目に係る計測値とを比較する比較手段と、
前記比較手段によって得られる比較結果に基づいて今回の前記測定項目に係る計測値が入力ミスであるか否かを判別する判別手段とを有することを特徴とする情報処理システム。
【請求項１５】
前記携帯端末装置と電気的に接続可能な情報処理装置を備え、
前記電気設備の過去の計測値を前記測定項目と共に前記情報処理装置から携帯端末装置へ転送し、
前記電気設備の今回の計測値を前記測定項目と共に前記携帯端末装置から情報処理装置へ転送することを特徴とする請求項１４に記載の情報処理システム。
【発明の詳細な説明】
【技術分野】
【０００１】
本発明は、電力事業や通信事業等に関連する電気設備の保守点検の際の計測業務を支援する点検時データ入力支援システムに適用して好適な携帯端末装置、情報処理方法及び情報処理システムに関する。
【０００２】
詳しくは、電気設備を検査して得られる計測値を情報処理する場合に判別手段を備え、電気設備の測定項目をキーにして検索された当該電気設備の過去の計測値の存在有無に基づいて取得される、当該測定項目に係る入力判別時の閾値と今回の測定項目に係る計測値との比較結果に基づいて今回の測定項目に係る計測値が入力ミスであるか否かを判別して、計測値の入力時点で、適正な基準値範囲に収まらない、桁違いといった明らかな入力ミスや計測ミス等を検査現場でチェックできるようにすると共に、事務所に戻ってから、再度、現場に点検に出向くといった無駄な手間や工数を回避できるようにしたものである。
【背景技術】
【０００３】
従来から、電力事業や通信事業等に関連する電気設備の保守点検に関しては、「制御通信関係設備点検指針」を規定して、その細部項目に基づいて巡視・点検業務を実行する場合が多い。例えば、マイクロ波多重無線回線設備において、その巡視・点検を必要とする関係設備は広範に渡り、無線装置から空中線施設、搬送端局装置、結合装置、交換装置、電源装置、データ伝送装置、系統保護伝送装置といったように、外観形状が異なることは、もちろん、その巡視・点検、測定項目によっては、目視確認困難なもの、例えば、機器の性能の判定などもあり、複雑かつ多様化しているのが現状である。上述の指針によると、電気設備にもよるが、点検は、５年に一回、巡回は２年に１回実施するようになされる。
【０００４】
一方で、これらの電気設備の検査に使用する計測機器は、多機能化しており、その操作性は、熟練者でないと理解することが難しい。特に、計測機器のレンジ、計測単位及び計測範囲を測定対象毎に調整する必要がある。その調整に手間を必要とし、その調整を間違わないように、再三チェックする必要がある。
【０００５】
通常、巡回点検員は、前回の測定記録を持ち歩かないが、前回の記録コピーを現場に持参し、前回の測定記録と今回の計測値とを比較しながら管理帳票に書き込んでいる。これにより、計測値の入力ミスを防止している。
【０００６】
この種の電気設備の検査に関して特許文献１には、携行可能な保守作業支援装置が開示されている。この保守作業支援装置によれば、各測定対象箇所毎に予め定められている規定値と各測定対象箇所の測定値とを比較する比較部と、比較結果に基づいて測定値が規定値の許容範囲内であるか否かを判別する判定部と、判別結果に応じて異常を表示する表示部とを備え、規定値の変更指示に従って、規定値を変更し、変更後の規定値と各測定対象箇所の測定値とを比較し、この比較結果に基づいて測定値が規定値の許容範囲外であると判別された場合に、表示部に異常を表示するようになされる。このように装置を構成すると、保守作業を担当する保守員の負担を軽減できると共に、保守作業現場で測定結果の合否判定を正確に行えるというものである。
【０００７】
特許文献２には、可搬型プラント巡視点検データ判定装置が開示されている。当該判定装置によれば、プラントの巡視点検の順序を画面に表示する表示入力部と、巡視点検順序に基づいて巡視点検データを入力する点検データ入出力手段と、予め用意された判定値と、巡視点検データとが比較され、この比較結果に基づいて巡視点検データが示す状態が正常か否かを判別する診断実行手段とを備え、診断実行手段は、表示入力部の画面に処理結果を表示するようになされる。このように装置を構成すると、プラント巡視点検時の巡視員の負担を軽減でき、しかも、設備異常の早期発見に支援できるというものである。
【０００８】
特許文献３には、点検支援システムが開示されている。この点検支援システムによれば、データ分析、蓄積管理可能な上位の端末装置と、巡視点検用の携行可能な携帯端末装置とを通信網で接続し、携帯端末装置には、光学式又は磁気式の読取装置が接続され、各点検対象物に付与した識別データを当該読取装置で読み取って携帯端末装置で識別できるようにした他に、上位の端末装置でも通信網を通じて識別できるようにしたものである。このようにシステムを構成すると、巡視点検時、迅速かつ確実に点検対象物のデータを入力できると共に精度良いデータを収集でき、補修点検を効率良く実行できるというものである。
【０００９】
特許文献４には、通信網の監視制御方式が開示されている。この監視制御方式によれば、通信網運用管理者の端末装置から制御コマンド及び作業の実施日時を含む制御情報を受信し、この制御情報を制御コマンド毎に整理して登録する。ここに登録された制御情報が有する作業の実施日時と、発生する日付及び時刻とを照合して一致した際に、該当する制御情報を実行情報として送出して通信網を遠隔制御すると供に、遠隔制御処理の結果を出力するようにしたものである。このようにシステムを構成すると、人間判断業務の低減並びに保守の迅速化及び的確化を図ることができると共に、効率的にデータ処理できるというものである。
【００１０】
【特許文献１】特開平１０−０５９６４１号公報（第２頁  図１）
【特許文献２】特開平０９−０６２３４０号公報（第５頁  図１）
【特許文献３】特開２００２−２９７６６９号公報（第３頁  図２）
【特許文献４】特開２００２−０７７１５７号公報（第２頁  図１）
【発明の開示】
【発明が解決しようとする課題】
【００１１】
ところで、従来例に係る電気設備の保守点検システムによれば、以下のような問題がある。
【００１２】
i．マイクロ波多重無線回線設備等の検査において、様々な計測機器を同行し、その計測機器の示す結果を管理帳票に書き込むことで、巡視・点検を実施している。しかし、計測機器の目盛りの読み違い、感度レベルの勘違いから、通常では、あり得ない数値を管理帳票に記録してしまう場合がある。
【００１３】
一般に、測定レンジ（測定範囲）の選択ミスを起こすことが少ないが、計測機器のメーターが示す目盛り（単位）を間違えて読むことがある。例えば、電流（Ａ）、電圧（Ｖ）、電力（ＶＡ）、音（ｄＢ）、抵抗（Ω）、周波数（Ｈｚ）等に付加された、ｍ（ミリ）、ｋ（キロ）、Ｍ（メガ）を読み違えるというものである。
【００１４】
ii．現場での巡視・点検では、その間違いに気が付かず、事務所に戻って、パソコン端末に結果を入力するときになって、初めて、その測定結果の異常に気が付く場合がある。測定結果から明らかに、常識値よりも、逸脱していた場合に、再度、現地に赴いて再測定をしなければならず、無駄な手間や工数を費やすこととなる。
【００１５】
iii．特許文献１に見られる携行可能な保守作業支援装置によれば、各測定対象箇所毎に予め定められた規定値と各測定対象箇所の測定値とを比較した結果、この比較結果に基づいて測定値が規定値の許容範囲外であると判別された場合に、表示部に異常を表示するようになされる。特許文献１は、各測定対象箇所毎に規定値を予め定め、それを保守作業支援装置毎に保持しておかなくてはならない。従って、測定対象箇所が増加すると、その分だけ規定値を保持しなくてはならず、規定値の検索抽出に多くの時間を要するおそれがある。
【００１６】
iv．特許文献２に見られる可搬型プラント巡視点検データ判定装置によれば、プラント巡視点検に関して、予め用意された判定値と、巡視点検データとが比較され、この比較結果に基づいて巡視点検データが正常でないと判別された場合に、その判別処理結果を画面表示するようになされる。特許文献２でも、各プラント毎に判定値を予め定め、それを当該判定装置毎に保持しておかなくてはならない。従って、プラントの巡視点検箇所が増加すると、その分だけ判定値を保持しなくてはならず、判定値の検索抽出に多くの時間を要するおそれがある。
【００１７】
v．特許文献３に見られる点検支援システムによれば、各点検対象物に付与した識別データを光学式又は磁気式の読取装置で読み取って携帯端末装置で識別するようになされる。しかし、アナログメータ方式の計測機器を使用して電圧、電流、抵抗等を測定して得た計測値は識別データした後でなければ、当該読取装置で読み取れない。
【００１８】
vi．特許文献４に見られる通信網の監視制御方式によれば、通信網運用管理者の端末装置から制御コマンド及び作業の実施日時を含む制御情報を受信し、この制御情報を制御コマンド毎に整理して登録するようになされる。しかし、特許文献１に見られる保守作業支援装置を応用して、「点検時データ入力支援システム」を構成しようとしたとき、測定値判定用の規定値を制御コマンド毎に整理して登録することができても、iiiに示した問題が依然として残る。
【００１９】
そこで、この発明はこのような従来の課題を解決したものであって、検査現場における計測値の入力時点で、明らかな入力ミスや計測ミス等をチェックできるようにすると共に、事務所に戻ってから、再度、現場に点検に出向くといった無駄な手間や工数を回避できるようにした携帯端末装置、情報処理方法及び情報処理システムを提供することを目的とする。
【課題を解決するための手段】
【００２０】
上述した課題を解決する本発明の携帯端末装置は、電気設備を検査して得られる計測値を情報処理する携帯端末装置であって、電気設備の測定項目と当該測定項目に係る計測値とを入力する入力手段と、この入力手段によって入力された測定項目をキーにして当該電気設備の過去の計測値を検索する検索手段と、この検索手段によって検索された電気設備の過去の計測値の存在有無に基づいて測定項目に係る入力判別時の閾値を取得する取得手段と、この取得手段により取得された閾値と今回の測定項目に係る計測値とを比較する比較手段と、この比較手段によって得られる比較結果に基づいて今回の測定項目に係る計測値が入力ミスであるか否かを判別する判別手段とを備えることを特徴とするものである。
【００２１】
本発明に係る携帯端末装置によれば、電気設備を検査して得られる計測値を情報処理する場合に、入力手段は、電気設備の測定項目と当該測定項目に係る計測値とを入力するように操作される。検索手段は、入力手段によって入力された測定項目をキーにして当該電気設備の過去の計測値を検索する。
【００２２】
例えば、検索手段は、記憶手段に記憶された電気設備の過去の計測値を測定項目をキーにして検索する。取得手段は、検索手段によって検索された電気設備の過去の計測値の存在有無に基づいて測定項目に係る入力判別時の閾値を取得する。これを前提にして、比較手段は、取得手段により取得された閾値と今回の測定項目に係る計測値とを比較する。判別手段は、比較手段によって得られる比較結果に基づいて今回の測定項目に係る計測値が入力ミスであるか否かを判別する。例えば、判別手段は、測定項目に関して入力判別時の下限閾値及び上限閾値を設定し、下限閾値及び上限閾値から外れる計測値が入力された場合に、入力ミスと判断する。
【００２３】
従って、計測値判定用の閾値を瞬時に検索抽出できるので、電気設備の検査によって得られる計測値を入力した時点で、適正な基準値範囲に収まらない、桁違いといった明らかな入力ミスを検査現場でチェックすることができ、事務所に戻った後に、初めて、入力ミスに気付くといった事態を防ぐことができる。
【００２４】
本発明に係る情報処理方法は、電気設備を検査して得られる計測値を情報処理する方法であって、電気設備の測定項目と当該測定項目に係る計測値とを取得するステップと、測定項目をキーにして当該電気設備の過去の計測値を検索するステップと、電気設備の過去の計測値が存在する場合は、測定項目に係る入力判別時の閾値を取得するステップと、閾値と今回の測定項目に係る計測値とを比較するステップと、比較結果に基づいて今回の測定項目に係る計測値が入力ミスであるか否かを判別するステップとを有することを特徴とするものである。
【００２５】
本発明に係る情報処理方法によれば、電気設備を検査して得られる計測値を情報処理する場合に、計測値判定用の閾値を瞬時に検索抽出できるので、電気設備の検査によって得られる計測値を入力した時点で、適正な基準値範囲に収まらない、桁違いといった明らかな入力ミスを検査現場でチェックすることができる。従って、事務所に戻った後に、初めて、入力ミスに気付くといった事態を防ぐことができる。
【００２６】
本発明に係る情報処理システムは、電気設備を検査して得られる計測値を情報処理するシステムであって、電気設備を検査して計測値を得る計測機器と、この計測機器から得られる電気設備の計測値を記録する携帯端末装置とを備え、携帯端末装置は、電気設備の測定項目と当該測定項目に係る計測値とを入力する入力手段と、入力手段によって入力された測定項目をキーにして当該電気設備の過去の計測値を検索する検索手段と、検索手段によって検索された電気設備の過去の計測値の存在有無に基づいて測定項目に係る入力判別時の閾値を取得する取得手段と、この取得手段により取得された閾値と今回の測定項目に係る計測値とを比較する比較手段と、この比較手段によって得られる比較結果に基づいて今回の測定項目に係る計測値が入力ミスであるか否かを判別する判別手段とを有することを特徴とするものである。
【００２７】
本発明に係る情報処理システムによれば、本発明に係る携帯端末装置及び情報処理方法が応用されるので、電気設備を検査して得られる計測値を情報処理する場合に、計測値判定用の閾値を瞬時に検索抽出できるので、電気設備の検査によって得られる計測値を入力した時点で、適正な基準値範囲に収まらない、桁違いといった明らかな入力ミスを検査現場でチェックすることができる。従って、事務所に戻った後に、初めて、入力ミスに気付くといった事態を防ぐことができる。
【発明の効果】
【００２８】
本発明に係る携帯端末装置及び情報処理方法によれば、電気設備の測定項目をキーにして検索された当該電気設備の過去の計測値の存在有無に基づいて取得される、当該測定項目に係る入力判別時の閾値と今回の測定項目に係る計測値との比較結果に基づいて今回の測定項目に係る計測値が入力ミスであるか否かを判別する判別手段を備えるものである。
【００２９】
この構成によって、計測値判定用の閾値を瞬時に検索抽出できるので、電気設備の検査によって得られる計測値を入力した時点で、適正な基準値範囲に収まらない、桁違いといった明らかな入力ミスを検査現場でチェックすることができる。従って、事務所に戻った後に、初めて、入力ミスに気付くといった事態を防ぐことができ、計測値を入力した時点で、計測ミスをチェックすることができる。これにより、その場で、電気設備を再検査することができ、しかも、事務所に戻ってから、再度、現場に点検に出向くといった無駄な手間や工数を回避することができる。
【００３０】
本発明に係る情報処理システムによれば、本発明に係る携帯端末装置及び情報処理方法が応用されるので、計測値判定用の閾値を瞬時に検索抽出することができる。従って、電気設備の検査によって得られる計測値を入力した時点で、適正な基準値範囲に収まらない、桁違いといった明らかな入力ミスを検査現場でチェックすることができる。
【００３１】
また、事務所に戻った後に、初めて、入力ミスに気付くといった事態を防ぐことができる。従って、計測値を入力した時点で、計測ミスをチェックすることができ、その場で、電気設備を再検査することができる。しかも、事務所に戻ってから、再度、現場に点検に出向くといった無駄な手間や工数を回避することができる。
【発明を実施するための最良の形態】
【００３２】
続いて、この発明に係る携帯端末装置、情報処理方法及び情報処理システムについて、図面を参照しながら説明をする。  
図１は、実施例としての点検時データ入力支援システム１の構成例を示す図である。  
この実施例では、通信制御機器などの計測対象設備（電気設備）を検査して得られる計測値を情報処理する場合に、今回の測定項目に係る計測値が入力ミスであるか否かを判別する判別手段を備え、計測値入力時点で、適正な基準値範囲に収まらない、桁違いといった明らかな入力ミスを検査現場でチェックできるようにしたものである。
【００３３】
図１に示す点検時データ入力支援システム１は、本発明に係る情報処理システムの一例であり、無線中継所や、各地電力所等における電源装置や通信制御機器等の計測対象設備（検査対象）を検査して得られる計測値を情報処理するシステムである。
【００３４】
このシステム１では、計測機器の一例となる電力テスタ８、計測結果管理システム１０及び点検時データ入力支援機能付きの携帯端末装置１００が具備される。電力テスタ８は、計測対象設備５を検査して計測値を得るように使用される。携帯端末装置１００は、この電力テスタ８から得られる計測対象設備５の計測値を記録するように使用される。電力テスタ８及び携帯端末装置１００は、巡回点検員３が無線中継所や各種電力所等に出向する際に携行するようになされる。
【００３５】
計測結果管理システム１０は、情報処理装置の一例であり、計測対象設備５を検査して得た計測値を管理するシステムである。計測結果管理システム１０にはデスクトップ型又はノート型のパーソナルコンピュータ（以下単にパソコンという）が使用される。
【００３６】
計測結果管理システム１０には、図示しない登録手段（データベース）が設けられ、計測対象設備５を過去に検査して得た計測値が格納される。計測結果管理システム１０は、モニタ１１、キーボード１２、マウス１３、制御システム１５を有して構成される。この例で、計測結果管理システム１０は、携帯端末装置１００と電気的に接続可能となされる。この際の接続方法は、有線方式や無線方式等いずれの方式を問わない。
【００３７】
計測結果管理システム１０では、計測対象設備５の過去の計測値を測定項目と共に計測結果管理システム１０から携帯端末装置１００へ転送するようになされる。これは点検時データ入力支援システム１で過去の計測値を検索するためである。また、計測対象設備５で今回、計測して得た計測値は、測定項目と共に携帯端末装置１００から計測結果管理システム１０へ転送するようになされる。これは計測結果管理システム１０で計測対象設備５を管理するためである。
【００３８】
電力テスタ８は、電圧（Ｖ）、電流（Ａ）、電力（ＶＡ）、抵抗（Ω）、周波数（Ｈｚ）、温度（℃）及び音（ｄＢ）を測定できる多機能計測装置である。電力テスタ８は、本体ケース８０、テスタ棒８１ａ、８１ｂ、メーター８２、マイクロフォン８３、指針窓部８４、計測対象切換スイッチ８５、端子８６ａ，８６ｂを有している。電力テスタ８は、巡回点検員３が携行し易くするために軽量化されている。
【００３９】
本体ケース８０の上部には、マイクロフォン８３及び端子８６ａ，８６ｂが設けられる。マイクロフォン８３は計測対象設備５の音（騒音）を測定する際に使用される。端子８６ａ，８６ｂには、テスタ棒８１ａ、８１ｂがリード線を介して接続される。テスタ棒８１ａ、８１ｂは、計測対象設備５の充電部に当接され、電圧や絶縁抵抗を測定する際に使用される。本体ケース８０の上面には、指針窓部８４及び計測対象切換スイッチ８５が設けられる。指針窓部８４には、アナログ式の多機能メーター８２が設けられ、計測対象設備５の電圧、電流、電力、抵抗、周波数、温度及び音の大きさを表示するようになされる。もちろん、計測値を読み取る指針窓部８４は、多機能メーター８２に変えて、デジタル式の表示器を使用したものであってもよい。
【００４０】
巡回点検員３は、電力テスタ８を使用して得た計測値を現場で携帯端末装置１００に入力するようになされる。携帯端末装置１００は本体ケース２０、表示手段２１、データ入力手段３１を有して構成される。データ入力手段３１は、キーボード２２及びスタイラスペン２３から構成される。
【００４１】
キーボード２２には、「０」〜「９」の数字キー、「＃」キー、「＊」キーの他に、小数点「．」キー、電圧（Ｖ）や、電流（Ａ）、電力（ＶＡ）、抵抗（Ω）、周波数（Ｈｚ）、温度（℃）、音（ｄＢ）等の計測単位キーが設けられている。表示手段２１には、例えば、液晶表示パネルとタッチパネルを組み合わせたものが使用される。スタイラスペン２３は、表示手段２１上で計測対象設備５の電圧や、電流、電力、抵抗、周波数、温度、音等の計測値を手入力する際に使用される。
【００４２】
この例で、携帯端末装置１００に入力された計測対象設備５の計測値は、計測結果管理システム１０に転送され、当該計測対象設備５が管理される。携帯端末装置１００には、点検時のデータ入力ミスを防止するための管理機能（点検時データ入力ミス管理機能）が付加されている。この管理機能では、前回の記録コピーを現場に持参し、前回の測定記録と今回の計測値とを比較しながら管理帳票に書き込むといった人間的な改善対策を点検時データ入力支援システム１として取り扱うようになされる。
【００４３】
図２は、点検時データ入力支援システム１におけるデータ判別例を示す構成図である。  
図２に示す点検時データ入力支援システム１では、巡回点検員３が携帯端末装置１００を携行して設備点検場所に行くとき、及び、携帯端末装置１００を携行して事務所に戻って来たときに、計測結果管理システム１０と当該携帯端末装置１００とを何らかの形態で情報交換するようになされる。情報交換形態は、通信ケーブル、無線、メモリ媒体等何でもよい。現実には、データ量、スピード、汎用性を考慮すると、メモリ媒体が適している。
【００４４】
この例で、巡回点検員３が設備点検場所に行くときは、設備点検場所の制御通信機器等の過去の計測値データ（設備点検データ）を計測結果管理システム１０から携帯端末装置１００に転送するようになされる。計測結果管理システム１０には、登録手段１６が設けられ、各設備点検場所の制御通信機器等の過去の計測値データを記録したデータベースが構築されている。巡回点検員３は、点検時データ入力ミス管理機能付きの携帯端末装置１００を持って設備点検場所に（電力所内にある設備管理室）に移動する。巡回点検員３が設備点検場所で制御通信設備を電力テスタ８で検査し、その検査結果を携帯端末装置１００に入力する。
【００４５】
携帯端末装置１００は、データ入力手段３１、データ判別手段５０、エラー情報出力手段３６、データメモリ５８及び計測値メモリ５９を有して構成される。データメモリ５８は第１の記憶手段の一例であり、計測対象設備５の過去の計測値を測定項目と共に記憶するようになされる。例えば、計測結果管理システム１０からデータメモリ５８には、計測対象設備５の過去の計測値に係るデータ（以下過去データという）Ｄ１’が転送され、測定項目と共に過去データＤ１’を格納するようになされる。これは点検時データ入力支援システム１で計測対象設備５の過去の計測値を検索するためである。
【００４６】
データ入力手段３１は、計測対象設備５の測定項目と当該測定項目に係る計測値データ（以下今回データＤ１Ｔもいう）とを入力するように操作される。データ入力手段３１には、点検時データ入力ミス管理機能が付加されている。データ判別手段５０は、ソフトウエアから構成される計測値検索手段３２、閾値取得手段３３、計測値比較手段３４、入力ミス判別手段３５を有している。計測値検索手段３２では、データ入力手段３１によって入力された測定項目をキーにして当該計測対象設備５の過去の計測値が検索される。例えば、データメモリ５８内を検索して、当該測定項目に係る計測対象設備５の過去データＤ１’を読み出すようになされる。
【００４７】
閾値取得手段３３では、計測値検索手段３２によって検索された計測対象設備５の過去の計測値の存在有無に基づいて測定項目に係る入力判別時の閾値が取得される。例えば、当該測定項目に係る計測対象設備５の過去データＤ１’から測定項目をキーにして当該過去の計測値入力時の許容下限値（下限閾値）及び許容上限値（上限閾値）を検索し、これらを読み出すようになされる。
【００４８】
計測値比較手段３４では、閾値取得手段３３により取得された許容下限値及び許容上限値と今回の測定項目に係る計測値とが比較される。例えば、今回の測定項目に係る計測値と許容下限値とが比較され、かつ、当該計測値と許容上限値とが各々比較される。つまり、当該計測値が許容下限値を下回るか、また、当該計測値が許容上限値を上回るかを検出する。この検出結果で当該計測値が許容下限値を上回り、かつ、許容上限値を下回るときは、当該計測値が許容範囲内に入っている場合である。これにより、ある測定項目の入力値が確定したタイミングで、今回データＤ１と過去データＤ１’とを比較し、その計測値が計測レンジ内に収まっているかを検出することができる。
【００４９】
入力ミス判別手段３５では、計測値比較手段３４によって得られる比較結果に基づいて今回の測定項目に係る計測値が入力ミスであるか否かを判別するようになされる。このとき、入力ミス判別手段３５は、測定項目に関して入力判別時に予め設定された、許容下限値及び許容上限値から外れる計測値が入力された場合に、入力ミスと判断する（点検時データ入力ミス管理機能）。
【００５０】
入力ミスと判断された測定項目及び計測値は、第２の記憶手段の一例となる計測値メモリ５９に記憶するようになされる。例えば、計測値メモリ５９内には、入力ミスデータベースが構築され、ログデータＤＬが登録される。ここにログデータＤＬとは、入力ミスと判断された測定項目及び計測値をいう。計測値メモリ５９及びデータメモリ５８にはハードディスク（ＨＤＤ）が使用される。
【００５１】
エラー情報出力手段３６では、入力ミスと判断された測定項目及び計測値等のエラー情報を出力するようになされる。例えば、エラー情報出力手段３６は、当該測定項目及び計測値を再入力するように警告したり、入力ミスと判断された測定項目及び計測値をログデータＤＬとして格納するように警告する。これにより、設定された閾値以上に計測値がずれていた場合は、計測値の読み違いと判断し、巡回点検員３に対して再計測＆再入力を促すことができる。
【００５２】
上述の計測値メモリ５９には、入力ミスと判断された測定項目及び計測値の他に、計測対象設備５で今回、計測して得た計測値に係るデータ（以下今回データ又は計測値データという）Ｄ１が格納される。これと同時に、計測値メモリ５９には今回のデータの一貫として入力ミスした箇所、その計測値を記憶する。
【００５３】
計測終了後、巡回点検員３は、携帯端末装置１００を事務所に持ち帰り、○○設備点検場所の制御通信機器等の今回の測定で得た計測値データ（設備点検データ）Ｄ１を既存の計測結果管理システム１０に登録する。この例で、入力ミスと判断された測定項目及び計測値を含む今回データＤ１が携帯端末装置１００から計測結果管理システム１０へ転送される。
【００５４】
図３は、携帯端末装置１００の構成例を示すブロック図である。図３に示す携帯端末装置１００は、システムバス５１を有した制御システム３０を備えており、点検時データ入力ミス管理機能が付加されている。システムバス５１には、ＲＯＭ（Read Only Memory）５２、ＲＡＭ（Random Access Memory）５３、画像処理部５４、ＣＰＵ（Central Processing Unit；中央処理ユニット）５５、ＥＥＰＲＯＭ５６、Ｉ／Ｏインターフェース５７、データメモリ５８、計測値メモリ５９、音声処理部６１及び通信処理部６２が接続される。
【００５５】
ＲＯＭ５２には、当該携帯端末装置１００を制御するためのシステムプログラムデータＤＰが格納される。ＲＡＭ５３は、ワークメモリとして使用され、例えば、システム起動時に制御コマンドやシステム起動プログラム等を一時記憶するようになされる。ＣＰＵ５５は電源がオンされると、ＲＯＭ５２からＲＡＭ５３へシステムプログラムデータＤＰを読み出してシステムを起動し、キーボード２２又はマウス２３からの操作データＤ３に基づいて当該携帯端末装置の全体を制御するようになされる。
【００５６】
キーボード２２及びスタイラスペン２３は、図２に示したデータ入力手段３１を構成し、計測対象設備５の測定項目と当該測定項目に係る計測値とを入力するように操作される。キーボード２２及びスタイラスペン２３には、点検時データ入力ミス管理機能が付加されている。データメモリ５８には、点検時データ入力ミス管理機能を実現するために、予め計測結果管理システム１０から計測対象設備５の過去データＤ１’が転送され、測定項目と共に格納するようになされる。
【００５７】
また、ＲＯＭ５２、ＲＡＭ５３及びＣＰＵ５５は、データ判別手段５０を構成し、ソフトウエア上に計測値検索手段３２、閾値取得手段３３、計測値比較手段３４、入力ミス判別手段３５を構築する。ＣＰＵ５５では、キーボード２２及びスタイラスペン２３によって入力された測定項目をキーにして当該計測対象設備５の過去の計測値が検索される。例えば、データメモリ５８内を検索して、当該測定項目に係る計測対象設備５の過去データＤ１’を読み出すようになされる。
【００５８】
ＣＰＵ５５では、データメモリ５８内で検索した計測対象設備５の過去の計測値の存在有無に基づいて測定項目に係る入力判別時の閾値が取得される。例えば、当該測定項目に係る計測対象設備５の過去データＤ１’から過去の計測値の許容下限値（下限閾値）及び許容上限値（上限閾値）を読み出すようになされる。
【００５９】
ＣＰＵ５５では、過去データＤ１’から取得した許容下限値及び許容上限値と今回の測定項目に係る計測値とが比較される。例えば、今回の測定項目に係る計測値と許容下限値とが比較され、かつ、当該計測値と許容上限値とが各々比較される。つまり、当該計測値が許容下限値を下回るか、また、当該計測値が許容上限値を上回るかを検出する。この検出結果で当該計測値が許容下限値を上回り、かつ、許容上限値を下回るときは、当該計測値が許容範囲内に入っている場合である。
【００６０】
ＣＰＵ５５では、比較結果に基づいて今回の測定項目に係る計測値が入力ミスであるか否かを判別するようになされる。このとき、ＣＰＵ５５は、測定項目に関して入力判別時に予め設定された、許容下限値及び許容上限値から外れる計測値が入力された場合に、入力ミスと判断する（点検時データ入力ミス管理機能）。
【００６１】
画像処理部５４は、ＣＰＵ５５が入力ミスと判断した測定項目及び計測値を統計処理して、入力ミスを起こしやすい計測機器を特定するようになされる。ＣＰＵ５は、ここで特定された計測機器の測定項目に係る入力判定時の閾値を前回よりも許容範囲を狭くするように設定する。これは、入力ミスを起こしやすい計測機器のデータ入力時の信頼性を向上させるためである。
【００６２】
ＥＥＰＲＯＭ５６には、画像処理部５４で特定された入力ミスを起こしやすい計測機器のデータを記憶するようになされる。ＥＥＰＲＯＭ５６は、データが随時書込み消去可能で、電源を切られてもデータを保持可能な不揮発メモリである。ＥＥＰＲＯＭ５６は、入力ミスを起こしやすい計測機器のデータの他に、例えば、再入力を促す音声に係る音声ガイドデータＤ４が記録される。
【００６３】
計測値メモリ５９には、入力ミスと判断された測定項目及び計測値（ログデータＤＬ）の他に、計測対象設備５で今回、計測して得た計測値に係る今回データＤ１が格納される。計測値メモリ５９及びデータメモリ５８にはハードディスク（ＨＤＤ）が使用される。
【００６４】
上述のＩ／Ｏインターフェース５７には、表示手段２１、キーボード２２、スタイラスペン２３、タッチパネル２４が接続される。表示手段２１には、計測結果管理システム１０から取り込んだ計測結果管理ファイルが表示データＤ２基づいて表示される。表示手段２１には、例えば、４８０×６４０画素のカラー用の液晶表示パネルとタッチパネルを組み合わせたものが使用される。タッチパネル２４には、静電容量式又は抵抗膜式のものが使用される。
【００６５】
スタイラスペン２３は、表示手段２１上で計測対象設備５の電圧や、電流、電力、抵抗、周波数、温度、音等の計測値を手書き入力するとき、又は、測定項目を選択するとき、アイコン等を押下する際に使用される。キーボード２２には、「０」〜「９」の数字キー、「＃」キー、「＊」キーの他に、小数点「．」キー、電圧（Ｖ）や、電流（Ａ）、電力（ＶＡ）、抵抗（Ω）、周波数（Ｈｚ）、温度（℃）、音（ｄＢ）等の計測単位キーが設けられている。図示しないが、もちろん、電源キーや測定項目選択時の選択キーも含まれている。
【００６６】
上述のＣＰＵ５５はエラー情報出力手段３６を構成し、入力ミスと判断された測定項目及び計測値等のエラー情報を出力するようになされる。例えば、ＣＰＵ５５は、当該測定項目及び計測値を再入力するように音声処理部６１を出力制御したり、入力ミスと判断された測定項目及び計測値を格納するように計測値メモリ５９を書込み制御する。
【００６７】
音声処理部６１にはスピーカー６３が接続され、ＣＰＵ５５の出力制御に基づいて当該測定項目及び計測値を再入力するように警告案内をしたり、入力ミスと判断された測定項目及び計測値を格納するように警告案内する。警告案内は、例えば、ＥＥＰＲＯＭ５６から音声処理部６１へ音声ガイドデータＤ４を読み出す。
【００６８】
音声処理部６１は、音声ガイドデータＤ４をデジタル・アナログ変換して音声案内信号Ｓ４を出力する。スピーカー６３は、音声案内信号Ｓ４を入力して、例えば、計測値を入力した時点で、「計測値が桁違いです。再入力願います」等の音声案内を拡声するようになされる。これにより、入力ミスと判断された測定項目に関して当該計測値の再入力を促すことができる。
【００６９】
通信処理部６２は、計測結果管理システム１０に接続され、当該携帯端末装置１００に入力された計測対象設備５の計測値を転送する際に使用される。例えば、事務所に戻った後、携帯端末装置１００と計測結果管理システム１０と接続し、入力ミスと判断された測定項目及び計測値を含む今回データＤ１を通信処理部６２を介して携帯端末装置１００から計測結果管理システム１０へ転送するようになされる。計測結果管理システム１０では、測定項目及び計測値を含む今回データＤ１が記録（登録）され、当該計測対象設備５を管理するようになされる。
【００７０】
図４は、計測結果管理システム１０における計測結果管理ファイルのデータ構造例を示す表図である。  
図４に示すデータ構造例によれば、計測結果管理ファイルは階層構造を有している。第１階層には、計測対象設備５の設置場所コード、その名称、その住所、その装置一覧が記述される。この例では、設置場所コード「ＡＢ００１」には、名称「○○電力所」が記述され、住所が○○県が記述される。同様にして、設置場所コード「ＡＢ００２」には、名称「○○電力所」が記述され、住所が○○県が記述される。設置場所コード「ＢＣ００１」には、名称「○×営業所」が記述され、住所が○×県が記述される。設置場所コード「ＺＺ００９」には、名称「○△発電所」が記述され、住所が○△県が記述される。
【００７１】
設置場所コード「ＡＢ００１」の装置一覧は、第２階層に記述される。第２階層には、計測対象設備５の設備コード、その名称、そのメーカ名、その設置年及び計測内容が記述される。この例では、設備コード「０００１」には、名称「○○リレー」、メーカ名Ａ社及び設置年＊＊年＊＊月が各々記述される。同様にして、設備コード「０００２」には、名称「△○電源」、メーカ名Ｂ社及び設置年＊＊年＊＊月が各々記述される。設備コード「０００３」には、名称「×××継電器」、メーカ名Ａ社及び設置年＊＊年＊＊月が各々記述される。設備コード「９９９９」には、名称「第２○○リレー」、メーカ名Ｄ社及び設置年＊＊年＊＊月が各々記述される。
【００７２】
設備コード「０００１」の計測内容は、第３階層に記述される。第３階層には、○○リレーの測定項目、その前回測定日、その前回測定値、その測定単位、許容上限値及び許容下限値が記述される。この例で、○○リレーの測定項目「電流」には、前回測定日「ＹＹＹＹＭＭＤＤ」が記述される。前回測定値には、「１２．３４５」が記述され。その測定単位には「ｍＡ」が記述され、その許容上限値には、「１５．０００」が記述され、その許容下限値には「１０．０００」が記述される。
【００７３】
また、○○リレーの測定項目「電圧」には、前回測定日「ＹＹＹＹＭＭＤＤ」が記述される。前回測定値には、「０．１２３４５」が記述され。その測定単位には「ｋＶ」が記述され、その許容上限値には、「０．１３０００」が記述され、その許容下限値には「０．１１０００」が記述される。
【００７４】
更に、○○リレーの測定項目「音」には、前回測定日「ＹＹＹＹＭＭＤＤ」が記述される。前回測定値には、「２８．７６５」が記述され。その測定単位には「ｄＢ」が記述され、その許容上限値には、「３０．０００」が記述され、その許容下限値には「２５．０００」が記述される。このように計測結果管理ファイルのデータ構造例を階層構造とすることで、過去のデータを検索し易くするようになされている。
【００７５】
続いて、本発明に係る情報処理方法（点検時データ入力支援処理方法）について、携帯端末装置１００における動作例を説明する。図５及び図６は、点検時データ入力支援システム１における携帯端末装置１００の動作例（その１，２）を示すフローチャートである。
【００７６】
この実施例では、巡回点検員３が点検時データ入力ミス管理機能付きの携帯端末装置１００を持って設備点検場所（○○電力所内にある設備管理室）に移動する。そして、計測対象設備５を電力テスタ８で検査して得られる計測値を情報処理する場合を例に挙げる。点検時データ入力支援システム１では、巡回点検員３が携帯端末装置１００を携行して設備点検場所に行くとき、及び、携帯端末装置１００を携行して事務所に戻って来たときに、計測結果管理システム１０と当該携帯端末装置１００との間で情報交換するようになされる。
【００７７】
ＣＰＵ５５は電源がオンされると、ＲＯＭ５２からＲＡＭ５３へシステムプログラムデータＤＰを読み出してシステムを起動し、キーボード２２又はマウス２３からの操作データＤ３に基づいて当該携帯端末装置の全体を制御するようになされる。
【００７８】
これらを動作条件にして、ＣＰＵ５５は、図５に示すフローチャートのステップＡ１で計測対象設備５の過去の計測値と測定項目とを記憶（登録）する。例えば、計測結果管理システム１０と携帯端末装置１００とを通信処理部６２や図示しない通信ケーブルを介して電気的に接続し、計測結果管理システム１０から携帯端末装置１００へ計測対象設備５の過去データＤ１’を転送して、当該計測結果管理システム１０の登録手段１６からデータメモリ５８に計測対象設備５の過去データＤ１’を登録する。これは基準値を定めるためである。
【００７９】
図４に示した階層構造を有する計測結果管理ファイルがデータメモリ５８に格納される。計測結果管理ファイルの第１階層で、設置場所コード欄には「ＡＢ００１」が記述され、名称の欄には「○○電力所」が記述され、住所の欄には○○県が記述される。その第２階層で、設備コードの欄「０００１」には、名称「○○リレー」、メーカ名Ａ社及び設置年＊＊年＊＊月が各々記述される。同様にして、設備コード「０００２」には、名称「△○電源」、メーカ名Ｂ社及び設置年＊＊年＊＊月が各々記述される。設備コード「０００３」には、名称「×××継電器」、メーカ名Ａ社及び設置年＊＊年＊＊月が各々記述される。設備コード「９９９９」には、名称「第２○○リレー」、メーカ名Ｄ社及び設置年＊＊年＊＊月が各々記述される。
【００８０】
その第３階層で設備コード「０００１」の計測内容に関して、○○リレーの測定項目「電流」には、前回測定日「ＹＹＹＹＭＭＤＤ」が記述される。前回測定値には、「１２．３４５」が記述され。その測定単位には「ｍＡ」が記述され、その許容上限値には、「１５．０００」が記述され、その許容下限値には「１０．０００」が記述される。また、○○リレーの測定項目「電圧」には、前回測定日「ＹＹＹＹＭＭＤＤ」が記述される。前回測定値には、「０．１２３４５」が記述され。その測定単位には「ｋＶ」が記述され、その許容上限値には、「０．１３０００」が記述され、その許容下限値には「０．１１０００」が記述される。
【００８１】
更に、○○リレーの測定項目「音」には、前回測定日「ＹＹＹＹＭＭＤＤ」が記述される。前回測定値には、「２８．７６５」が記述され。その測定単位には「ｄＢ」が記述され、その許容上限値には、「３０．０００」が記述され、その許容下限値には「２５．０００」が記述される。このような計測結果管理ファイルを登録した後、携帯端末装置１００の電源を切っても、また、そのまま電源を入れておいても、どちらでもよい。計測結果管理ファイルはメモリ媒体で受け渡してもよい。
【００８２】
そして、巡回点検員３は点検時データ入力ミス管理機能付きの携帯端末装置１００を持って設備点検場所（電力所内にある設備管理室）に移動する。巡回点検員３は制御通信設備を電力テスタ８で検査し、その検査結果を携帯端末装置１００に入力する。携帯端末装置１００の電源が切ってある場合は、ここで電源をオンしてシステムを立ち上げる。
【００８３】
ＣＰＵ５５は電源がオンされると、ＲＯＭ５２からＲＡＭ５３へシステムプログラムデータＤＰを読み出してシステムを起動し、キーボード２２又はマウス２３からの操作データＤ３に基づいて当該携帯端末装置の全体を制御するようになされる。例えば、入力ミスを起こしやすい計測機器を特定するか否かの設定がなされる。また、特定された計測機器のデータ入力判定時の閾値を変更するか否かの設定がなされる。
【００８４】
その後、ステップＡ２で、ＣＰＵ５５は今回データＤ１となる計測対象設備５の測定項目と当該測定項目に係る計測値とを取得する。このとき、表示手段２１には、計測結果管理システム１０から取り込んだ計測結果管理ファイルが表示データＤ２に基づいて表示される。巡回点検員３は、キーボード２２及びスタイラスペン２３を使用して、計測対象設備５の測定項目と当該測定項目に係る計測値とを入力するようになされる。
【００８５】
例えば、巡回点検員３は、スタイラスペン２３を使用して、表示手段２１上で計測対象設備５の電圧や、電流、電力、抵抗、周波数、温度、音等の計測値を手書き入力したり、又は、とき、スタイラスペン２３でアイコン等を押下して、測定項目を選択するようになされる。また、巡回点検員３は、キーボード２２を操作して、「０」〜「９」の数字キーや小数点「．」キーを押下して、計測対象設備５の電圧（Ｖ）や、電流（Ａ）、電力（ＶＡ）、抵抗（Ω）、周波数（Ｈｚ）、温度（℃）、音（ｄＢ）等を入力するようになされる。今回、計測対象設備５で計測して得た計測値に係る今回データＤ１が計測値メモリ５９に格納される。
【００８６】
そして、ステップＡ３で、ＣＰＵ５５は、今回データＤ１の測定項目をキーにして当該計測対象設備５の過去データＤ１’を検索する。例えば、データメモリ５８内を検索して、当該測定項目に係る計測対象設備５の過去データＤ１’を読み出すようになされる。
【００８７】
次に、ステップＡ４に移行してＣＰＵ５５は、データメモリ５８内から過去データＤ１’が読み出せたか否か（存在するか否か）により制御分岐する。過去データＤ１’が存在しない場合は、ステップＡ５〜Ａ１４をパスしてステップＡ１６に移行する。
【００８８】
計測対象設備５の過去データＤ１’が存在する場合は、ステップＡ５に移行して、ＣＰＵ５５は過去データＤ１’から当該測定項目に係る入力判別時の閾値（＝許容範囲）を取得する。例えば、当該測定項目に係る計測対象設備５の過去データＤ１’から、第３階層の測定項目をキーにして過去の計測値入力時の許容下限値（下限閾値）及び許容上限値（上限閾値）を検索し、これらを読み出すようになされる。図４に示した例によれば、設備コード「０００１」の○○リレーの測定項目「電流」をキーにして、許容下限値＝１０．０００ｍＡ、許容上限値＝１５．０００ｍＡが検索され、この許容下限値＝１０．０００ｍＡ及び許容上限値＝１５．０００ｍＡがＲＡＭ５３に保持される。
【００８９】
その後、ステップＡ６に移行してＣＰＵ５５は、過去データＤ１’から取得した許容下限値及び許容上限値と今回の測定項目に係る計測値とを比較する。例えば、今回の測定項目に係る計測値と許容下限値とが比較され、かつ、当該計測値と許容上限値とが各々比較される。つまり、当該計測値が許容下限値を下回るか、また、当該計測値が許容上限値を上回るかを検出する。この検出結果で当該計測値が許容下限値を上回り、かつ、許容上限値を下回るときは、当該計測値が許容範囲内に入っている場合である。
【００９０】
図４に示した例によれば、設備コード「０００１」の○○リレーの測定項目「電流」に関して、許容下限値に１０．０００ｍＡが設定され、その許容上限値に１５．０００ｍＡが設定され、この許容下限値＝１０．０００ｍＡ及び許容上限値＝１５．０００ｍＡと今回の測定項目に係る○○リレーの計測値、例えば、１３．５５５ｍＡとが比較される。この例では○○リレーの計測値＝１３．５５５ｍＡが閾値の許容範囲内に入っている。
【００９１】
そして、ステップＡ７でＣＰＵ５５は、比較結果に基づいて今回の測定項目に係る計測値が入力ミスであるか否かを判別する。このとき、計測値が閾値の許容範囲内であるか否かに基づいて制御を分岐する。ＣＰＵ５５は、測定項目に関して入力判別時に予め設定された、許容下限値及び許容上限値から外れる計測値が入力された場合に、入力ミスと判断する（点検時データ入力ミス管理機能）。
【００９２】
入力ミスと判断した場合、ＣＰＵ５５はステップＡ８に移行して、当該入力ミスと判断した測定項目及び計測値をログデータＤＬとして記録するように計測値メモリ５９を制御する。計測値メモリ５９は、ＣＰＵ５５のメモリ制御を受けてログデータＤＬを入力ミスデータベースに登録する。
【００９３】
そして、ステップＡ９に移行して、ＣＰＵ５は、入力ミスと判断された測定項目に関して当該計測値の再入力を促すようになされる。このとき、ＣＰＵ５５は、入力ミスと判断された測定項目及び計測値等のエラー情報をエラー情報出力手段３６を利用して出力するようになされる。例えば、ＣＰＵ５５は、当該測定項目及び計測値を再入力するように音声処理部６１を出力制御したり、入力ミスと判断された測定項目及び計測値を格納するように計測値メモリ５９を書込み制御する。ＣＰＵ５５は、ＥＥＰＲＯＭ５６から音声処理部６１へ音声ガイドデータＤ４を読み出す。音声処理部６１は、音声ガイドデータＤ４をデジタル・アナログ変換して音声案内信号Ｓ４をスピーカー６３に出力する。
【００９４】
スピーカー６３は、音声案内信号Ｓ４を入力して、例えば、計測値を入力した時点で、「計測値が桁違いです。再入力願います」等の音声案内を拡声するようになされる。再入力の促し方法は、音声案内に限られることはなく、表示手段２１に、「計測値が桁違いです。再入力願います」等の文字表示するようにしてもよい。これにより、入力ミスと判断された測定項目に関して当該計測値の再入力を促すことができる。
【００９５】
その後、ステップＡ１０でＣＰＵ５５は、入力ミスを起こしやすい計測機器を特定するか否かの設定に基づいて制御を分岐する。当該計測機器を特定する設定がなされている場合は、ステップＡ１１に移行して，ＣＰＵ５５は、入力ミスと判断された測定項目及び計測値を統計処理する。このとき、画像処理部５４では、ＣＰＵ５５が入力ミスと判断した測定項目及び計測値を統計処理して、入力ミスを起こしやすい計測機器を特定するようになされる。
【００９６】
そして、ステップＡ１２に移行して，ＣＰＵ５５は、特定された入力ミスを起こしやすい計測機器を登録する。例えば、ＣＰＵ５５は、画像処理部５４で特定された入力ミスを起こしやすい計測機器のデータをＥＥＰＲＯＭ５６に記憶するようになされる。なお、ステップＡ１０で入力ミスを起こしやすい計測機器を特定する設定がなされていない場合は、ステップＡ１１〜Ａ１４をパスしてステップＡ１６に移行する。
【００９７】
その後、ステップＡ１３で、ＣＰＵ５５は、入力ミスを起こしやすい計測機器の閾値を変更するか否かの設定に基づいて制御を分岐する。当該計測機器の閾値を変更する設定がなされている場合は、ステップＡ１４に移行して、ＣＰＵ５５は、閾値変更処理を実行する。例えば、先に特定された計測機器の測定項目に係る入力判定時の閾値を前回よりも許容範囲を狭くするように設定する。これは、入力ミスを起こしやすい計測機器のデータ入力時の信頼性を向上させるためである。
【００９８】
なお、上述のステップＡ７で計測値が閾値の許容範囲内である場合は、ステップＡ１５に移行して、先のステップＡ２で得た計測対象設備５の測定項目と当該測定項目に係る計測値データ（今回データ）Ｄ１を計測値メモリ５９に保存した後にステップＡ１６に移行する。ステップＡ１６で、ＣＰＵ５５は終了判断をする。例えば、電源オフ情報を検出して、点検時データ入力支援処理を終了する。電源オフ情報が検出されない場合は、ステップＡ２に戻って上述した処理を繰り返すようになされる。
【００９９】
計測終了後、巡回点検員３は、携帯端末装置１００を事務所に持ち帰り、○○設備点検場所の制御通信機器等の今回の測定で得た計測値データ（今回データ）Ｄ１を既存の計測結果管理システム１０に登録する。例えば、事務所に戻った後、携帯端末装置１００と計測結果管理システム１０と接続し、入力ミスと判断された測定項目及び計測値を含む今回データＤ１を通信処理部６２を介して携帯端末装置１００から計測結果管理システム１０へ転送するようになされる。計測結果管理システム１０では、測定項目及び計測値を含む今回データＤ１が記録（登録）され、当該計測対象設備５を管理するようになされる。
【０１００】
このように、実施例としての携帯端末装置及び情報処理方法によれば、計測対象設備５を検査して得られる計測値を点検時データ入力支援処理する場合に、ＣＰＵ５５は、計測対象設備５の測定項目をキーにして検索された当該計測対象設備５の過去データＤ１’から取得される、許容下限値及び許容上限値と今回の測定項目に係る計測値とを比較する。ＣＰＵ５５は、許容下限値及び許容上限値と今回の測定項目に係る計測値との比較結果に基づいて今回の測定項目に係る計測値が入力ミスであるか否かを判別する。この例では、測定項目に関して入力判別時の許容下限値及び許容上限値から外れる計測値が入力された場合に、入力ミスと判断するようになされる。
【０１０１】
従って、計測値判定用の許容下限値及び許容上限値を瞬時に検索抽出できるので、計測対象設備５の検査によって得られる計測値を入力した時点で、適正な基準値範囲に収まらない、桁違いといった明らかな入力ミスを検査現場でチェックすることができる。これにより、事務所に戻った後に、初めて、入力ミスに気付くといった事態を防ぐことができ、計測値を入力した時点で、計測ミスを早期にチェックすることができる。従って、その場で、計測対象設備５を再検査することができ、しかも、事務所に戻ってから、再度、現場に点検に出向くといった無駄な手間や工数を回避することができる。
【０１０２】
なお、入力ミスのログデータＤＬを統計処理することで、ミスを誘発する可能性の高いインターフェースを持つ計測機器を特定することが可能となる。入力ミスを起こしやすい計測機器が特定されると、社員のノウハウの共有化にもつながり、かつ、計測機器の改善にもつながる。
【産業上の利用可能性】
【０１０３】
この発明は、電力事業や通信事業等に関連する計測対象設備の保守点検の際の計測業務を支援する点検時データ入力支援システムに適用して極めて好適である。
【図面の簡単な説明】
【０１０４】
【図１】実施例としての点検時データ入力支援システム１の構成例を示す図である。
【図２】点検時データ入力支援システム１におけるデータ判別例を示す構成図である。
【図３】携帯端末装置１００の構成例を示すブロック図である。
【図４】計測結果管理システム１０における計測結果管理ファイルのデータ構造例を示す表図である。
【図５】点検時データ入力支援システム１における携帯端末装置１００の動作例（その１）を示すフローチャートである。
【図６】点検時データ入力支援システム１における携帯端末装置１００の動作例（その２）を示すフローチャートである。
【符号の説明】
【０１０５】
１・・・点検時データ入力支援システム、８・・・電力テスタ（計測機器）、１０・・・計測結果管理システム、１１・・・モニタ、１２，２２・・・キーボード、１３・・・マウス、１５，３０・・・制御システム、１６・・・登録手段、２１・・・表示手段、２３・・・スタイラスペン、３１・・・データ入力手段、３２・・・計測値検索手段（ＣＰＵ）、３３・・・閾値取得手段（ＣＰＵ）、３４・・・計測値比較手段（ＣＰＵ）、３５・・・入力ミス判別手段（ＣＰＵ）、５０・・・データ判別手段、５５・・・ＣＰＵ（制御手段）、５６・・・ＥＥＰＲＯＭ、５８・・・データメモリ（第１の記憶手段）、５９・・・計測値メモリ（第２の記憶手段）、１００・・・携帯端末装置
【図１】
2006277654.tif 000003
【図２】
2006277654.tif 000004
【図３】
2006277654.tif 000005
【図４】
2006277654.tif 000006
【図５】
2006277654.tif 000007
【図６】
2006277654.tif 000008